(57)【要約】    【課題】  電子ズーム撮影時にオートフォーカスの精度を適正に維持しつつオートフォーカスの時間を短縮することができる電子カメラを提供する。    【解決手段】  電子カメラ１は、電子カメラ１全体を制御するＣＰＵ１０１と、ズームモータ１０８及びフォーカスフィルタ１１０を夫々介してＣＰＵ１に接続された撮影レンズ１０７とを備え、動画の撮影中に光学ズーム又は電子ズームを行う。撮影レンズ１０７は、ズームモータ１０８によって移動されるズームレンズと、フォーカスモータ１１０によって移動されるフォーカスレンズとを含む。電子ズームにより変倍された映像は解像度が以下のように低下する。この場合、映像の被写界深度が深くなるので、電子ズームの変倍率が１倍未満であるときは、フォーカス精度は逆に許容範囲が広くなることにより、フォーカス敏感度が低くなって、もって電子カメラがオートフォーカスの手法として通常用いる、いわゆる山登り方式において、ピークを見つける時間が短縮する。【選択図】      図５
2005173501.tif 000002
【特許請求の範囲】
【請求項１】
撮影面に結像される光学像を映像信号に変換する複数の画素を有する撮像素子と、前記光学像を前記撮像面に結像するフォーカスレンズと、前記光学像の焦点を調節すべく前記フォーカスレンズを移動するフォーカス手段と、前記光学像に対して電子ズームを行う電子ズーム手段とを備える電子カメラにおいて、
前記フォーカス手段は、前記電子ズーム手段によって行われる電子ズームの状態に応じて前記フォーカスレンズを移動することを特徴とする電子カメラ。
【請求項２】
前記フォーカス手段は、前記電子ズーム手段によって行われる電子ズームの所定の変倍率が１未満のときは、前記フォーカスレンズの移動量を増大させることを特徴とする請求項１記載の電子カメラ。
【請求項３】
前記フォーカス手段は、前記電子ズーム手段によって行われる電子ズームの所定の変倍率が１未満のときは、前記フォーカスレンズを合焦位置からはずれた位置に移動することを特徴とする請求項１記載の電子カメラ。
【請求項４】
前記電子ズーム手段は、前記電子ズームを前記撮像素子の解像度を低減させた状態で行うことを特徴とする請求項２又は３記載の電子カメラ。
【請求項５】
前記電子ズーム手段は、前記撮像素子の解像度の低減を前記複数の画素を間引くことにより行うことを特徴とする請求項４記載の電子カメラ。
【発明の詳細な説明】
【技術分野】
【０００１】
本発明は、電子カメラに関し、特に、動画のズームを行うデジタルビデオカメラ、デジタルスチルカメラ等の電子カメラに関する。
【背景技術】
【０００２】
デジタルビデオカメラ、デジタルスチルカメラ等の電子カメラにおいて、近年、デジタルビデオカメラは元来動画を記録するものであったが、静止画記録モードを持つものが一般化しており、デジタルスチルカメラは元来静止画を記録するものであったが、動画記録モードを持つものが一般化している（たとえば、特許文献１〜３）。
【０００３】
このようなデジタルビデオカメラ、デジタルスチルカメラ等の電子カメラにおいて、光学系の焦点距離の変更により撮像面に結像される光学像を拡大することにより、映像のズームを行う光学ズーム機構と、映像の一部を電子的に拡大することにより、映像のズームを行う電子ズーム機構の両方を備えたものが一般化している。この場合、映像のズームを光学ズームに加えて電子ズームにより行うことにより、例えば図１０に示すように、光学ズームによる倍率を電子ズームによる倍率分高めることができる。
【０００４】
上記電子ズームで映像を拡大する場合、映像の一部を映像全体の大きさに拡大した画像を生成するため、光学ズームのみで拡大した映像に比べて画質は劣化するという欠点があり、このため、従来の電子カメラは、映像を拡大する場合には光学ズームを優先し、光学ズームの焦点がテレ端まできてから、電子ズームを行うのが一般的であった。
【０００５】
また、撮像素子、例えばＣＣＤが高画素数化が普及するのに伴って、画面をワイドにしない場合であっても、動画を撮影するときや、静止画撮影でも記憶容量の小さいサイズで記録するときは、画素数を間引くことによって画素数を低減するように電子ズームを行うことができるようになっている。
【特許文献１】特開平５−１９１５８号明細書
【特許文献２】特開２００１−１３６４２９号明細書
【特許文献３】特開２００１−２１１３７３号明細書
【発明の開示】
【発明が解決しようとする課題】
【０００６】
しかしながら、ＣＣＤ本来の画素数よりも画素数を低減した場合に、このＣＣＤ本来の画素ピッチに由来する許容錯乱円を満たすようにオートフォーカス調整（ＡＦ）を行うとオーバースペックとなり、特に、いわゆる山登りＡＦを行う場合に画像信号サンプリングに時間がかかったり、合焦不能時やパンフォーカス撮影などフォーカスレンズを定点に合わせて撮影する際に、ＣＣＤ本来の画素ピッチから求められる定点の位置に合焦させると、その合焦位置が被写界深度位置からずれるという問題があった。また、オートフォーカス時にモアレなどの偽解像が発生し得る。
【０００７】
本発明の目的は、電子ズーム撮影時にオートフォーカスの精度を適正に維持しつつオートフォーカスの時間を短縮することができる電子カメラを提供することにある。
【課題を解決するための手段】
【０００８】
上述の目的を達成するために、請求項１記載の電子カメラは、撮影面に結像される光学像を映像信号に変換する複数の画素を有する撮像素子と、前記光学像を前記撮像面に結像するフォーカスレンズと、前記光学像の焦点を調節すべく前記フォーカスレンズを移動するフォーカス手段と、前記光学像に対して電子ズームを行う電子ズーム手段とを備える電子カメラにおいて、前記フォーカス手段は、前記電子ズーム手段によって行われる電子ズームの状態に応じて前記フォーカスレンズを移動することを特徴とする。
【０００９】
請求項２記載の電子カメラは、請求項１記載の電子カメラにおいて、前記フォーカス手段は、前記電子ズーム手段によって行われる電子ズームの所定の変倍率が１未満のときは、前記フォーカスレンズの移動量を増大させることを特徴とする。
【００１０】
請求項３記載の電子カメラは、請求項１記載の電子カメラにおいて、前記フォーカス手段は、前記電子ズーム手段によって行われる電子ズームの所定の変倍率が１未満のときは、前記フォーカスレンズを合焦位置からはずれた位置に移動することを特徴とする。
【００１１】
請求項４記載の電子カメラは、請求項２又は３記載の電子カメラにおいて、前記電子ズーム手段は、前記電子ズームを前記撮像素子の解像度を低減させた状態で行うことを特徴とする。
【００１２】
請求項５記載の電子カメラは、請求項４記載の電子カメラにおいて、前記電子ズーム手段は、前記撮像素子の解像度の低減を前記複数の画素を間引くことにより行うことを特徴とする。
【発明の効果】
【００１３】
請求項１記載の電子カメラによれば、フォーカス手段が、電子ズーム手段によって行われる電子ズームの状態に応じてフォーカスレンズを移動するので、電子ズーム撮影時にオートフォーカスの精度を適正に維持しつつオートフォーカスの時間を短縮することができる。
【００１４】
請求項２記載のカメラによれば、フォーカス手段が、電子ズーム手段によって行われる電子ズームの所定の変倍率が１未満のときは、フォーカスレンズの移動量を増大させるので、電子ズーム手段によって行われる電子ズームの所定の変倍率が１未満のときに、オートフォーカスの時間を短縮することができる。
【００１５】
請求項３記載のカメラによれば、フォーカス手段が、電子ズーム手段が電子ズームを撮像素子の解像度を低減させた状態で行うときは、フォーカスレンズを合焦位置からはずれた位置に移動するので、画像を縮小した時にモアレなどが発生することを防止できる。
【００１６】
請求項４記載のカメラによれば、電子ズーム手段が電子ズームを撮像素子の解像度を低減させた状態で行うときは、フォーカスレンズの移動量を増大させるので、電子ズーム手段が電子ズームを撮像素子の解像度を低減させた状態で行うときに、オートフォーカスの時間を短縮することができる。
【発明を実施するための最良の形態】
【００１７】
以下、本発明の実施の形態を図面を参照しながら説明する。
【００１８】
図１は、本発明の実施の形態に係る電子カメラのブロック図である。
【００１９】
図１において、本発明の実施の形態に係る電子カメラ１は、電子カメラ１全体を制御するＣＰＵ１０１と、ＣＰＵ１０１に夫々接続されたズームＳＷ１０９、メモリー１０３、通信端子１１７、及び信号処理ＩＣ１０２と、ズームモータ１０８及びフォーカスフィルタ１１０を夫々介してＣＰＵ１に接続された撮影レンズ１０７と、Ａ／Ｄ変換器を介してＣＰＵ１０１に接続されたマイク１１２と、Ｄ／Ａ変換器１１３を介してＣＰＵ１０１に夫々接続されたスピーカー１１４及び音声出力端子１１５とを備え、動画の撮影中に光学ズーム又は電子ズームを行うことができる。撮影レンズ１０７は、ズームモータ１０８によって移動されるズームレンズと、フォーカスモータ１１０によって移動されるフォーカスレンズ（図７の８０１）とを含む。
【００２０】
メモリー１０３は、ＣＰＵ１０１によって読み書き可能な各種データを記録する。
【００２１】
撮影レンズ１０７（フォーカス手段）は、ズームモータ１０８によるズーム調整やフォーカスモータ１１０による焦点調整を行う。ズームＳＷ１０９は、ユーザが映像のズームの変倍率をワイド端及びテレ端間の任意の変倍率に設定可能に構成されている。ＣＣＤ１０６は、撮像面に結像される光学像を映像信号に変換する。マイク１１２は、ＣＣＤ１０６による撮影と同時に音声信号を取得する。
【００２２】
通信端子１１７は、不図示のパソコン、プリンタ、その他の外部の機器とＣＰＵ１０１との間の信号の送受信を行うＵＳＢ端子から成る。
【００２３】
信号処理ＩＣ１０２は、ＣＣＤ１０６、マイク１１２、及び後述する記録手段１０５等からの映像信号や音声信号を処理して映像データや音声データを生成する。記録手段１０５は、ＣＣＤ１０６で光電変換されて出力された映像信号及びマイク１１２で取得された音声信号を夫々信号処理ＩＣ１０２で信号処理した後に映像データ及び映像用音声データとして記録する。
【００２４】
ＬＣＤ１０４は、信号処理ＩＣ１０２で処理されたり、記録手段１０５で記録された映像データを再生する。ビデオ出力端子１１６は、信号処理ＩＣ１０２で生成されたり、記録手段１０５で記録された映像データを外部の再生装置に出力する。
【００２５】
スピーカー１１４は、信号処理ＩＣ１０２で処理されたり、記録手段１０５で記録された音声データを再生する。音声出力端子１１５は、信号処理ＩＣ１０２で生成されたり、記録手段１０５で記録された音声データを外部の再生装置に出力する。
【００２６】
以下、図１の電子カメラの作動を説明する。
【００２７】
以下の作動は、特別の言及がない限りＣＰＵ１０１によって制御される。
【００２８】
図１において、まず、撮影レンズ１０７を通った光がＣＣＤ１０６の撮像面上に結像し、その光がＣＣＤ１０６により光電変換されて出力され、その出力された映像信号が信号処理ＩＣ１０２により信号処理されて記録装置１０５に映像データとして記録される。
【００２９】
また、ＣＣＤ１０６による撮影と同時にマイク１１２で取得された音声信号がＡ／Ｄ変換器１１１でＡ／Ｄ変換されてデジタル信号となり、ＣＰＵ１０１に入力されて記録装置１０５に映像用音声データとして記録される。
【００３０】
電子ビューファインダー機能を用いた撮影時と再生時に、信号処理ＩＣ１０２からＬＣＤ１０４やビデオ出力端子１１６に映像データが出力され、ＬＣＤ１０４や、ビデオ出力端子１１６に接続された外部の再生装置で再生される。
【００３１】
上記映像の再生と同時に、記録装置１０５に記録された映像用音声データがＤ／Ａ変換器１１３を介してスピーカー１１４や音声出力端子１１５に出力され、スピーカー１１４や、音声出力端子１１５に接続された外部の再生装置で再生される。これにより、電子ビューファインダー機能を用いた撮影時と再生時において、音声付き動画を再生することができる。
【００３２】
記録装置１０５に記録された映像データや映像用音声データは、通信端子１１７を介して外部のパソコンや、プリンタ等の他の外部機器に転送することができる。外部のパソコンにより、電子カメラ１で用いるプログラムをメモリー１０３に記録したり、電子カメラ１の動作を制御することができる。
【００３３】
また、ズームＳＷ１０９で設定されたズームの変倍率に基づいて、ＣＰＵ１０１にテレ側、ワイド側の２方向のズーム調整のコマンドが送られる。ＣＰＵ１０１はこのコマンドに応じて光学ズームと電子ズームのいずれによるズーム調整を行うか否かを決定する。
【００３４】
光学ズームによるズーム調整を行う場合は、ズームモータ１０８を駆動制御することにより、撮影レンズ１０７を構成する不図示のズームレンズを駆動させ、同時に、フォーカスモータ１１０を駆動制御して撮影レンズ１０７を構成する不図示のフォーカスレンズをズームカム軌跡に沿って駆動させる。
【００３５】
例えば、図２に示すように、元の映像（図２（ａ））を光学ズームにより２倍に拡大した拡大映像（図２（ｂ））は、２倍の拡大が光学的に行われたものであって、電子ズームにより電子的に行われでいないので、画像の解像度は変わらない。
【００３６】
一方、電子ズームによる拡大は、図３に示すように、信号処理ＩＣ１０２からの映像データに基づいて形成される映像の一部を映像全体の大きさに拡大した拡大映像を形成することにより行われる。
【００３７】
この電子ズームによる拡大映像は、例えば、元の映像の一部をその映像全体の大きさになるように拡大し、間の空いた画素の信号を、水平方向についてはその画素の左右の空いてない画素の信号との位置関係により重み付けして生成した信号で補間し、垂直方向については、その画素の上下の空いてない画素の信号との位置関係により重み付けして補間する。
【００３８】
以上の処理は、全て信号処理ＩＣ１０２内で行われる。電子ズームによる変倍率はＸ／Ｙ（Ｘ＝1〜２５５、Ｙ＝１〜２５５）で与えられる値により、任意に変更できる。
【００３９】
例えば、電子ズームにより２倍にした拡大映像（図２（ｃ））は、元の映像（図２（ａ））の中心部をそのまま切り出し、その切り出した部分を拡大することにより得られる。この場合、拡大画像（図２（ｃ））は、画素数が同じになるように補間しているが、光学ズームの場合（図２（ｂ））に比べ、元々の情報量が少なくなるため画質が劣化する。従って、電子ズームによる変倍率は、拡大のための補間が不要な範囲内にあるのが望ましい。
【００４０】
電子ズームによる縮小の場合も、まったく同様にして縮小映像を得ることができる。ただし、この場合は、縮小映像は撮像素子や光学系のイメージサークルが一定なため、それ以上ワイドになるわけではなく、画素数を現象することで荒い解像度の画面になる。
【００４１】
例えば、元の映像（図４（ａ））を光学ズームにより１／２倍にした縮小映像（図４（ｂ））は、ＣＣＤ１０６の撮像面にあるＣＣＤ素子の縦２個×横２個が受光する光をＣＣＤ素子１個で受光して光電変換することにより取得される。従って、図４（ｂ）に示すように、元の映像の画素数より画素数の少なくなった画像が記録される。
【００４２】
一方、電子ズームにより１／２倍にした縮小画像（図４（ｃ））は、元の映像（図４（ａ））が縦２個×横２個の画素で形成していた映像を１個の画素にまとめることにより取得できる。従って、図４（ｃ）に示すように、元の映像の画素数より画素数の少なくなった画像が記録されるが、その画素数は光学ズームで同倍に縮小された縮小画像（図４（ｂ））と同じであり、情報量としては同じであるため、画質的には光学ズームを行った場合と同等の画像を得ることができる。
【００４３】
図５は、図１の電子カメラ１によって実行されるズーム処理のフローチャートである。
【００４４】
本処理は、電子カメラ１のＣＰＵ１０１によって実行される。本処理において、電子カメラ１は不図示の撮影再生選択スイッチを有し、このスイッチにより、撮影モードと再生モードのうちのいずれか１つが予め指定されている。また、電子カメラ１は、不図示の動画静止画選択スイッチを有し、このスイッチにより、映像を静止画として記録するか、動画として記録するかのいずれか１つが予め指定されている。
【００４５】
図５において、まず、ズームＳＷ１０９により任意のズームの変倍率が設定されると（ステップＳ２０１でＹＥＳ）、撮影再生選択スイッチによる指定が撮影モードか否かを判別し（ステップＳ２０２）、撮影モードでなく、再生モードのときは、映像データをＬＣＤ１０４で再生し、この再生された映像の拡大や縮小を行って（ステップＳ２０２）、本処理を終了する。
【００４６】
一方、ステップＳ２０２の判別の結果、撮影モードのときは、動画モードか否かを判別し（ステップＳ２０４）、動画モードのときは、電子カメラのズーム状態が電子ズームが可能な状態にある否かを判別する（ステップＳ２０５）。具体的には、ズームＳＷ１０９の設定が「テレ側」であり、電子ズームによる変倍率が限界のテレ端になっているか、又はズームＳＷ１０９の設定が「ワイド側」であり、電子ズームによる変倍率が限界のワイド端になっている場合には電子ズームが不可能であると判別する。
【００４７】
ステップＳ２０５の判別の結果、電子ズームが不可能であるときは、光学ズームを行い（ステップＳ２０７）、一方、電子ズームが可能であるときは、電子ズームを行って（ステップＳ２０６）、本処理を終了する。
【００４８】
また、ステップＳ２０４の判別の結果、動画モードではなく、静止画モードのときは、その時の電子カメラ１のズーム状態が光学ズーム可能な状態となっているかを判別する（ステップＳ２０８）。具体的には、ズームＳＷ１０９の設定がテレで光学ズームがテレ端になっているか、又はズームＳＷ１０９の設定がワイドで光学ズームがワイド端になっている場合には光学ズームが不可能であると判別する。
【００４９】
ステップＳ２０８の判別の結果、光学ズームが不可能であるときは電子ズームを行い（ステップＳ２１０）、一方、光学ズームが可能であるときは光学ズームを行って（ステップＳ２０９）、本処理を終了する。
【００５０】
本処理によれば、撮影モードであり（ステップＳ２０２でＹＥＳ）、且つ動画モードであるときに（ステップＳ２０４でＹＥＳ）、電子ズームが可能であれば（ステップＳ２０５でＹＥＳ）、ズーム調整を電子ズームにより行うので、動画撮影時のズーム中に記録された音声にノイズが入ることを防止することができる。
【００５１】
上述のように電子ズームにより変倍された映像は解像度が以下のように低下する。
【００５２】
即ち、静止画や動画での元の映像（図６（ａ））を光学ズーム及び電子ズームの各変倍率を変えることなく解像度を、例えば１／４倍にすると、図６（ａ）の映像は、縦横夫々４画素に１画素の割合で切り出され（ハッチングされた画素）、（図６（ｂ））の映像のようになる。このように、静止画モードにおいて低解像度モードで撮影される場合や動画モードで撮影される場合には、変倍率は１倍で解像度が低い撮像素子の本来の画素数より画素数が低減、即ち解像度が低下する。
【００５３】
図６（ｄ）は、光学ズームの変倍率を図６（ｂ）の映像と同じとしたまま電子ズームのみで図６（ｂ）の映像を２倍に変倍したものである。図６（ｃ）に示すように、画像を撮像素子の中央部分の１／２の画素領域から生成している（ハッチングされた画素）ため、得られる図６（ｄ）の映像の変倍率は２倍に拡大されている。このとき、抽出された画素数、即ち情報量は図６（ｂ）のものと同じであるので、図６（ｄ）の映像は図６（ｂ）のものより電子ズームで拡大したといっても画質的には同等の画像を得ることができる。このように、静止画モードにおいて低解像度モードで撮影される場合や動画モードで撮影される場合でも、撮像素子本来の解像度より低い解像度で撮影すれば、電子ズームによる画質への影響は、電子ズームの変倍率が１倍を超えない範囲では、１倍を超えて補間を行った場合に比べて少ない。
【００５４】
また、上述のように解像度が低下した場合、以下に説明するように映像の被写界深度が深くなるので、電子ズームの変倍率が１倍未満であるときは、フォーカス精度は逆に許容範囲が広くなる。
【００５５】
以下、解像度が低下した場合、映像の被写界深度が深くなる理由を説明する。
【００５６】
図７は、図１における撮影レンズと結像面の関係を示す図であり、（ａ）は、撮影レンズが１画素分が合焦する結像面の位置を示し、（ｂ）は、電子ズームの変倍率が１／２倍のときの結像面の位置を示す。
【００５７】
図７（ａ）において、８０２は、後ピン側、即ち無限遠側の時の１画素の大きさが錯乱円径ぎりぎりとなる時の結像面位置を示し、８０３は、前ピン側、即ち至近側の時の錯乱円径ぎりぎりの結像面位置を示す。これらの位置８０２，８０３間が被写界深度となる。被写体の合焦位置が位置８０２，８０３間の1点鎖線上にあるとすると、この部分では画素の画素ピッチより錯乱円径が小さくなることになり、このような場合に、モアレ縞（干渉縞）が画像に発生するなどの現象が起こる。通常の電子カメラでは、これを防ぐために光学ローパスフィルターを撮影レンズ１０７と撮像面の間に入れて、必要以上の光学解像度が得られないように解像度の高い部分の光を低解像にぼかしている。
【００５８】
図１の電子カメラ１において、電子ズームの変倍率を１／２倍にしたときは、図６（ｃ）で示したように画素ピッチを縦横夫々の方向で２画素に１画素分の割合で使う低解像度モードになる。
【００５９】
この場合、後ピン側の２画素の大きさが錯乱円径ぎりぎりとなる時の結像面位置が図７（ｂ）において８０４で示され、前ピン側の２画素の大きさが錯乱円径ぎりぎりとなる時の結像面位置が図７（ｂ）において８０５で示される。図７（ａ）と図７（ｂ）とを比較すると、電子ズームの変倍率が１／２倍の場合には（図７（ｂ））、明らかに２つの結像面位置の差が大きくなり、結果的に被写界深度が深くなる。
【００６０】
また、主要被写体のピント位置が位置８０４，８０５間の一点鎖線上にあるとすると、この付近では２画素の画素ピッチより錯乱円径が小さくなることになる。通常の全画素読み取る場合には、光学ローパスフィルターにより解像度を落としているが、これは１画素の画素ピッチに対応しているため、２画素ピッチであるこの場合には不十分となり、モアレ縞が発生する可能性がある。これを防止するには、焦点調節の際に結像面が位置８０４，８０５間に位置するのが望ましい。
【００６１】
上述のように解像度の低下により被射界深度が深くなる場合において、電子ズームの変倍率が１倍未満であるときにフォーカス精度の許容範囲が広くなると、フォーカス敏感度を低くすることができ、図１の電子カメラがオートフォーカスの手法として通常用いる図８に示すいわゆる山登り方式において、ピークを見つける時間を短縮することができる。
【００６２】
具体的には、図８において、信号処理ＩＣ１０２は、ＣＣＤ１０６からの映像信号の高周波成分から合焦信号を生成し、この合焦信号の値をサンプリングしながらフォーカスモータ１１０によりフォーカスレンズを移動させる。その結果、合焦信号の値は図８のようになり、そのピークにおけるフォーカスレンズの位置が合焦位置である。
【００６３】
この合焦位置を見つけるのにはフォーカスレンズを移動させながらサンプリングするための時間がかかるため、フォーカス敏感度が低ければフォーカスレンズを大きく動かし、結果的にピーク位置を見つける時間を短縮することができる。逆に、フォーカス敏感度が高ければフォーカスレンズを小さく動かして精度よくピークを見つけなければならない。よって、図７の説明のように、電子ズームの変倍率が１倍未満且つ低解像モードの場合には、被写界深度が深くなって、フォーカス敏感度が低くなることにより、フォーカスレンズの動かすピッチを大きく出来るため合焦時間を短縮できる。
【００６４】
また、上述のように電子ズームの変倍率が１未満であり、画素の間引きにより画像の縮小を行ったときには、モアレ縞が発生するのを防止するために、ピーク付近でピーク中心位置からはずれ点にフォーカスレンズを移動させるのが好ましい。
【００６５】
被写体によっては図８に示すようなピークが見つけられない場合や、オートフォーカスをしないパンフォーカスモードなどの場合には、電子カメラは定点撮影モードになり、定点と呼ばれるある特定の位置にフォーカスレンズを移動する。
【００６６】
この定点を示したのが図９のグラフであり、横軸がズームレンズの位置、縦軸がフォーカスレンズの位置である。この例では、フォーカスレンズはズームレンズの補正のためにもカム軌跡にしたがって移動するようになっている。定点１は図７（ａ）に示した１点鎖線上に撮像面があるフォーカス位置に相当する位置になっており、このとき無限側は位置８０２の部分までピントが合うが、このときの位置８０２がちょうど無限遠になるように設定されている。ここで、電子ズームで画像の縮小を行うと図７（ｂ）の様に被写界深度が深くなるが、位置８０４では超無限になるので、このとき、位置８０4が無限遠となるようにフォーカスレンズを移動した位置の軌跡が図７の定点２である。この場合、至近側のピントの合焦範囲は定点１のときよりも至近側になって、電子ズームにより被写界深度が深くなった分を無駄なく合焦範囲を広げることに使えるようになる。
【図面の簡単な説明】
【００６７】
【図１】本発明の実施の形態に係る電子カメラのブロック図である。
【図２】図１におけるＬＣＤ１０４で再生された映像を示す図であり、（ａ）は元の映像を示し、（ｂ）は光学ズームにより拡大された映像を示し、（ｃ）は電子ズームにより拡大した映像を示す。
【図３】図１の電子カメラで実行される電子ズームを説明する図であり、（ａ）はズーム前の映像を示し、（ｂ）はズーム後の映像を示す。
【図４】図１におけるＬＣＤ１０４で再生された映像を示す図であり、（ａ）は元の映像を示し、（ｂ）は光学ズームにより縮小された映像を示し、（ｃ）は電子ズームにより縮小された映像を示す。
【図５】図１の電子カメラ１によるズーム処理のフローチャートである。
【図６】図１の電子カメラで実行される電子ズームを説明する図であり、（ａ）は、電子ズームの変倍率１倍及び解像度１／４倍で画素数を低減して撮影する場合の元の映像示し、（ｂ）は、電子ズームの変倍率１倍及び解像度１／４で撮影した映像を示し、（ｃ）は、電子ズームの変倍率２倍で撮影する場合の元の映像を示し、（ｄ）は、変倍率２倍で撮影した映像を示す。
【図７】図１における撮影レンズと結像面の関係を示す図であり、（ａ）は、撮影レンズが１画素分が合焦する結像面の位置を示し、（ｂ）は、電子ズームの変倍率が１／２倍のときの結像面の位置を示す。
【図８】図１の電子カメラによるフォーカスレンズとの位置と合焦位置の関係を示すグラフである。
【図９】図１の電子カメラにおけるズームレンズとフォーカスレンズの位置関係を示すグラフである。
【図１０】従来の電子カメラによる光学ズームと電子ズームの関係を示すグラフである。
【符号の説明】
【００６８】
１  電子カメラ
１０１  ＣＰＵ
１０２  信号処理ＩＣ
１０６  ＣＣＤ
１０４  ＬＣＤ
１１２  マイク
【図１】
2005173501.tif 000003
【図２】
2005173501.tif 000004
【図３】
2005173501.tif 000005
【図４】
2005173501.tif 000006
【図５】
2005173501.tif 000007
【図６】
2005173501.tif 000008
【図７】
2005173501.tif 000009
【図８】
2005173501.tif 000010
【図９】
2005173501.tif 000011
【図１０】
2005173501.tif 000012